(57)【要約】【課題】異なる時間スケールで測定値データを表示する場合であっても、ユーザが各表示の間の対応関係を好適に認識することのできる表示装置及び表示用プログラムを提供する。【解決手段】実測定値データ及び代表値データを取得するデータ取得部１０と、代表値データに基づく相対的に大きい時間スケールの代表値表示と実測定値データに基づく相対的に小さい時間スケールの実測定値表示が選択的に実行される表示領域２ａを有する表示部２と、切り替え指令信号を生成する切り替え指令部３０と、表示領域２ａにおける表示を制御する処理部５０と、を有し、処理部５０は、切り替え指令信号を検出して表示領域２ａの表示が代表値表示である場合に、該代表値表示を前記実測定値データの時間スケールＴ２に近づくように拡大する拡大手段５２と、拡大後の代表値表示を、実測定値表示に遷移させる第１表示遷移手段５３と、を備える表示装置１。【選択図】図３
2019184323.tif 000002
【特許請求の範囲】
【請求項１】
実測定値データ及び該実測定値データに含まれる各実測定値の所定周期ごとの代表値からなる代表値データを取得するデータ取得部と、
前記代表値データに基づく相対的に大きい時間スケールの代表値表示と前記実測定値データに基づく相対的に小さい時間スケールの実測定値表示が選択的に実行される表示領域を有する表示部と、
前記代表値表示と前記実測定値表示の間の切り替え指令信号を生成する切り替え指令部と、
前記表示領域における表示を制御する処理部と、を有し、
前記処理部は、
前記切り替え指令信号を検出して前記表示領域の表示が前記代表値表示である場合に、該代表値表示を前記実測定値データの時間スケールに近づくように拡大する拡大手段と、
拡大後の前記代表値表示を、前記実測定値表示に遷移させる第１表示遷移手段と、を備えることを特徴とする、
表示装置。
【請求項２】
請求項１に記載の表示装置であって、
前記代表値データは、相対的に長い周期ごとの前記各実測定値の代表値からなる長周期データと、相対的に短い周期ごとの前記各実測定値の代表値からなる中周期データと、を含み、
前記代表値表示は、前記長周期データに基づく相対的に大きい時間スケールの大スケール実効値表示と、前記中周期データに基づく相対的に小さい時間スケールの中スケール実効値表示と、を含み、
前記拡大手段は、前記切り替え指令信号を検出して前記表示領域の表示が前記大スケール実効値表示である場合には該大スケール実効値表示を前記中スケール実効値表示の時間スケールに近づくように拡大し、
前記第１表示遷移手段は、拡大後の前記大スケール実効値表示を前記中スケール実効値表示に遷移させ、
前記拡大手段は、前記表示領域の表示が前記中スケール実効値表示である場合、又は前記第１表示遷移手段による前記中スケール実効値表示への遷移が実行された場合には、該中スケール実効値表示を前記実測定値データの時間スケールに近づくように拡大し、
前記第１表示遷移手段は、拡大後の前記中スケール実効値表示を前記実測定値表示に遷移させる、
表示装置。
【請求項３】
請求項２に記載の表示装置であって、
前記拡大手段は、前記表示領域における前記代表値データのプロット数が所定閾値まで減少するように前記表示領域の表示レンジを段階的に狭めることによって、前記代表値表示の拡大を実行する、
表示装置。
【請求項４】
請求項１〜３のいずれか１項に記載の表示装置であって、
前記処理部は、さらに、
前記切り替え指令信号を検出して前記表示領域の表示が前記実測定値表示である場合に、前記実測定値表示を拡大後の前記代表値表示に遷移させる第２表示遷移手段と、
拡大後の前記代表値表示を縮小する縮小手段と、
を備える、
表示装置。
【請求項５】
実測定値データに基づく相対的に小さい時間スケールの実測定値表示と、該実測定値データに含まれる各実測定値の所定周期ごとの代表値からなる代表値データに基づく相対的に大きい時間スケールの代表値表示と、が選択的に実行される表示領域を有する表示部を備えた表示装置に対し、前記表示領域における表示の制御を実行させる表示用プログラムであって、
前記代表値表示と前記実測定値表示の間の切り替え指令信号を検出して前記表示領域の表示が前記代表値表示である場合に、該代表値表示を前記実測定値データの時間スケールに近づくように拡大する拡大処理と、
拡大後の前記代表値表示を、前記実測定値表示に遷移させる第１表示遷移処理と、
を実行させることを特徴とする、
表示用プログラム。
【請求項６】
請求項５に記載の表示用プログラムであって、
前記表示装置に、さらに、
前記切り替え指令信号を検出して前記表示領域の表示が前記実測定値表示である場合に、前記実測定値表示を拡大後の前記代表値表示に遷移させる第２表示遷移処理と、
拡大後の前記代表値表示を縮小する縮小処理と、を実行させる、
表示用プログラム。
【発明の詳細な説明】
【技術分野】
【０００１】
本発明は、表示装置及び表示用プログラムに関する。
【背景技術】
【０００２】
電圧、電流、又は電力等の電気的特性を表す物理量を所望の時間スケールで表示する波形表示方法が知られている。例えば、特許文献１には、交流信号の実測定値を数ｋＨｚオーダーのサンプリング周期で取得し、これを表示画面に表示する波形表示方法が提示されている。
【先行技術文献】
【特許文献】
【０００３】
【特許文献１】特開平５−２８１２６４号公報
【発明の概要】
【発明が解決しようとする課題】
【０００４】
近年、画面表示の時間スケールを変更する要求に応じて、実測定値からサンプリング周期よりも長い所定周期ごとの実測定値の平均値（実効値）の時系列データを生成して、これを表示する波形表示方法が実行されている。このような平均値（実効値）の時系列データをプロットしたいわゆるトレンドデータの表示を行うことで、ユーザが測定対象の物理量における中長期的な傾向を把握し易くなる。
【０００５】
例えば、工場設備又は一般家庭への電力供給系統で用いられる電気設備において、数日間などの比較的長期の時間スケールで特定の事象（停電など）が発生したか否かを把握したい場合には、上記トレンドデータの表示が便利である。一方、上記特定の事象の原因などを詳細に調査するべく測定値のより細かい変化を把握する観点からは、実測定値データの表示が便利である。
【０００６】
このような状況に対し、本発明者らは、トレンドデータの表示と実測定値データの表示をユーザの選択操作などに応じて切り替え可能とした表示方法、及び一つの画面領域上でこれらデータを並列に表示可能な表示方法に想到した。
【０００７】
しかしながら、トレンドデータと実測定値データの間の時間スケールが大きく異なる場合には、これら表示の形状が大きく異なることがある。このため、これら表示を選択的に切り替える場合であっても、一つの画面領域上に並列に表示する場合であっても、ユーザはこれらグラフの間の対応関係を直感的に認識し難い場合がある。
【０００８】
本発明は、このような問題点に着目してなされたものであり、異なる時間スケールで測定値データを表示する場合であっても、ユーザが各表示の間の対応関係を好適に認識することのできる表示装置及び表示用プログラムを提供することを目的とする。
【課題を解決するための手段】
【０００９】
本発明のある態様によれば、実測定値データ及び該実測定値データに含まれる各実測定値の所定周期ごとの代表値からなる代表値データを取得するデータ取得部と、代表値データに基づく相対的に大きい時間スケールの代表値表示と実測定値データに基づく相対的に小さい時間スケールの実測定値表示が選択的に実行される表示領域を有する表示部と、代表値表示と実測定値表示の間の切り替え指令信号を生成する切り替え指令部と、表示領域における表示を制御する処理部と、表示装置が提供される。そして、処理部は、切り替え指令信号を検出して表示領域の表示が代表値表示である場合に、該代表値表示を実測定値データの時間スケールに近づくように拡大する拡大手段と、拡大後の代表値表示を、実測定値表示に遷移させる第１表示遷移手段と、を備えることを特徴とする。
【００１０】
また、本発明の他の態様によれば、実測定値データに基づく相対的に小さい時間スケールの実測定値表示と、該実測定値データに含まれる各実測定値の所定周期ごとの代表値からなる代表値データに基づく相対的に大きい時間スケールの代表値表示と、が選択的に実行される表示領域を有する表示部を備えた表示装置に対し、表示領域における表示の制御を実行させる表示用プログラムが提供される。この表示用プログラムは、代表値表示と実測定値表示の間の切り替え指令信号を検出して表示領域の表示が代表値表示である場合に、該代表値表示を実測定値データの時間スケールに近づくように拡大する拡大処理と、拡大後の代表値表示を、実測定値表示に遷移させる第１表示遷移処理を実行させる表示用プログラムが提供される。
【発明の効果】
【００１１】
この態様によれば、表示領域において、代表値表示の態様を実測定値表示の態様に近づけつつ、代表値表示から実測定値表示への切り替えを実行することができる。したがって、表示切り替え時におけるユーザに与える視覚的な違和感を軽減することができる。結果として、当該切り替え前後において実効値表示と実測定値表示の間の相互関係をユーザに好適に認識させることができる。
【図面の簡単な説明】
【００１２】
【図１】図１は、本発明の実施形態による表示装置の外観構成を簡易的に示した図である。
【図２】図２は、表示装置の機能を示すブロック図である。
【図３】図３は、第１実施形態による表示切り替え制御の流れを説明するフローチャートである。
【図４】図４は、実効値表示の拡大処理を説明する図である。
【図５】図５は、拡大後の実効値表示から実測定値表示への遷移を説明する図である。
【図６】図６は、表示切り替え制御に係る処理部の機能を説明する図である。
【図７】図７は、第２実施形態による表示切り替え制御の流れを説明するフローチャートである。
【図８】図８は、大スケール実効値表示の拡大処理を説明する図である。
【図９】図９は、拡大後の大スケール実効値表示から中スケール実効値表示への遷移を説明する図である。
【図１０】図１０は、中スケール実効値表示の拡大処理を説明する図である。
【図１１】図１１は、拡大後の中スケール実効値表示を実測定値表示への遷移を説明する図である。
【発明を実施するための形態】
【００１３】
（第１実施形態）
以下、図１〜図６を参照しながら本発明の第１実施形態について説明する。
【００１４】
図１は、本発明の実施形態における表示装置１の外観構成の一例を示す図である。図示のように、本実施形態の表示装置１は、表示部としての表示器２と、表示開始ボタン３と、表示切り替えボタン４と、を有する。表示器２は、ディスプレイ、特に液晶パネル又はタッチパネル等により構成される。そして、表示器２の表示画面は、電圧、電流、電力、及び抵抗値等の電気的特性量の測定値データ（実測定値データと代表値データ）を表示する表示領域２ａを有する。
【００１５】
表示開始ボタン３は、表示領域２ａにおける測定値データの表示を開始するためのボタンであり、ユーザによって操作（押下）可能に構成されている。
【００１６】
表示切り替えボタン４は、表示領域２ａに表示される測定値データを切り替えるためのボタンである。より詳細には、表示切り替えボタン４は、上記電気的特性量の実測定値データの表示とトレンドデータ（代表値データ）の表示の切り替えを開始させるためのボタンである。表示切り替えボタン４も、ユーザによって操作（押下）可能に構成されている。
【００１７】
なお、表示装置１は、図１に示した形態に代えて、タブレット端末、スマートフォン、又はパーソナルコンピュータなどの汎用のコンピュータのハードウェアを用いて構成されていても良い。
【００１８】
図２は、表示装置１の機能を説明するブロック図である。図示のように、表示装置１は、入力部１０と、記憶部２０と、操作部３０と、表示器２と、処理部５０と、を備える。
【００１９】
入力部１０は、Ａ／Ｄ変換回路を有する。Ａ／Ｄ変換回路は、図示しない測定回路からが測定した実測定値を示すアナログ信号を受信し、そのアナログ信号を所定のサンプリング周波数（数ｋＨｚ〜数百ｋＨｚ）でデジタル信号に変換して得られる波形データを実測定値データとして取得する。さらに、入力部１０は、実測定値データを処理部５０に送信する。
【００２０】
記憶部２０は、処理部５０による各処理の実行に用いるデータを記憶するＲＡＭ（Random Access Memory）等の主記憶メモリと、本実施形態に係る表示切り替え処理を実行するための表示用プログラムを記憶するＲＯＭ（Read Only Memory）等の不揮発性メモリにより構成される。なお、記憶部２０は、ハードディスク等の補助記憶装置を別途備えていても良い。
【００２１】
操作部３０は、機械式ボタン、タッチセンサ、又は、キーボード及びマウス等のユーザからの操作を受け付ける構成により実現することができる。本実施形態では、操作部３０は、上述した表示開始ボタン３及び表示切り替えボタン４を含む。そして、ユーザにより表示切り替えボタン４が操作されると、当該操作が実行されたことを示す信号を切り替え指令信号として処理部５０に出力する。
【００２２】
表示器２は、処理部５０からの表示指令信号に基づいて、実測定値データ及び実測定値データに基づく代表値データを表示領域２ａに選択的に表示する。
【００２３】
処理部５０は、ＣＰＵ（Central Processing Unit）等の演算手段により実現される。処理部５０は、入力部１０から受信した実測定値データに含まれる各実測定値の所定周期毎の代表値を演算する。そして、演算した各代表値からなる代表値データを生成する。特に、本実施形態では、処理部５０は、交流信号を含む電気的特性量の代表値として実効値を演算し、演算した各実効値からなる実効値データを代表値データとして生成する。
【００２４】
さらに、処理部５０は、表示領域２ａで実行するための実効値表示として実効値データに基づく実効値グラフＧｍを生成する。また、処理部５０は、表示領域２ａで実行するための実測定値表示として実測定値データに基づく実測定値グラフＧｒを生成する。処理部５０は、実測定値グラフＧｒ、実効値グラフＧｍ、及び後述する実効値グラフＧｍを拡大したグラフを表示するための表示指令信号を表示器２に出力する。
【００２５】
本実施形態の実効値グラフＧｍは、例えば、３０秒程度の時間スケールＴ１で表示され、各実効値の間の時間間隔が各実測定値の時間間隔よりも長く設定される。また、実測定値グラフＧｒは、例えば１秒程度の時間スケールＴ２で表示され、各実測定値の間の時間間隔が０．００１〜０．０１秒程度に設定される。すなわち、実効値グラフＧｍは、各実効値をプロットしてなる、中長期的な測定値のトレンドデータを示すグラフである。一方、実測定値グラフＧｒは、実測定値そのものを表すグラフである。
【００２６】
次に、処理部５０による表示切り替え制御を図３〜図５を参照して説明する。
【００２７】
図３は、処理部５０による表示切り替え制御の流れを示すフローチャートである。なお、以下の処理は、処理部５０が表示領域２ａに実測定値表示又は実効値表示を行っている状態を前提として実行される。
【００２８】
ステップＳ１００において、処理部５０は、ユーザによる表示切り替えボタン４への操作に起因して生成される切り替え指令信号を検出すると、現在の表示領域２ａにおける表示が実効値表示であるか否かを判定する。そして、処理部５０は、実効値表示であると判定した場合には、ステップＳ１１０の処理に移行する。
【００２９】
ステップＳ１１０において、処理部５０は、代表値表示の拡大処理を実行する。
【００３０】
図４は、実効値表示の拡大処理を説明する図である。特に図４（ａ）には拡大前の実効値表示による実効値グラフＧｍを示している。また、図４（ｂ）には拡大後の実効値表示による実効値拡大グラフＧｍ´を示している。
【００３１】
図４（ａ）に示す実効値グラフＧｍは、ｎ個のプロットＰ［ｍ］（ｍは１〜ｎ）を有している。なお、図面の簡略化のため、図４（ａ）においては実効値グラフＧｍのプロットＰ［ｍ］の一部のみを示している。
【００３２】
図４（ｂ）を参照すると理解されるように、処理部５０は、実効値表示の拡大処理として、実効値グラフＧｍのプロットＰ［ｋ］の数が所定閾値（図４（ｂ）ではＰ［ｋ］〜Ｐ［ｋ＋４］の５つ）に減少するまで表示領域２ａの表示レンジを段階的に狭める処理を実行する。
【００３３】
より詳細には、処理部５０は、実効値が最小値をとるプロットＰ［ｋ＋２］を基点に、表示領域２ａにおいて表示するプロットＰ［ｍ］の数を、５個のプロットＰ［ｋ］〜Ｐ［ｋ＋４］のみが表示される状態となるまで、段階的に減少させる処理を行う。すなわち、表示領域２ａの時間軸の横軸全域及び縦軸全域である表示レンジを段階的に狭める処理を行う。これにより、表示領域２ａには、実効値グラフＧｍにおける隣接する実効値の間の時間間隔が段階的に広がる表示がなされる。そして、拡大処理後には、表示領域２ａに、図４（ｂ）に示す５個のプロットＰ［ｋ］〜Ｐ［ｋ＋４］のみを含む実効値拡大グラフＧｍ´が表示されることとなる。すなわち、処理部５０は、実効値グラフＧｍの時間スケールＴ１を実測定値グラフＧｒの時間スケールＴ２に段階的に近づけるように、表示領域２ａの表示レンジを図４（ａ）の表示態様から図４（ｂ）の表示態様に向かって段階的に狭める。
【００３４】
なお、処理部５０は、実効値グラフＧｍ上において拡大処理の基点（拡大中心）となる点を任意の基準で設定することができる。一方で、例えば、プロットＰ［ｋ＋２］の部分では実効値グラフＧｍが急峻に低下しているので、当該実効値を介した監視対象である電力設備に停電等の特定の事象が生じた可能性が高いと判断できる。
【００３５】
したがって、本実施形態の処理部５０は、例えば、特定の事象が発生する可能性が高いと判断できるかどうかという観点から予め定められた実効値の閾値に基づいて、実効値が当該閾値を下回る実効値グラフＧｍ上の領域内の点、特に最小値としてのプロットＰ［ｋ＋２］を拡大処理の基点に設定している。これにより、ユーザに特定の事象の発生を視覚的に認識させ、且つその事象に焦点を当てさせるという観点から好適な表示となる。
【００３６】
図３に戻り、ステップＳ１１０の拡大処理後におけるステップＳ１２０について説明する。ステップＳ１２０において、処理部５０は、拡大後の実効値表示にかかる実効値拡大グラフＧｍ´を、実測定値表示である実測定値グラフＧｒに遷移させる。
に切り替える。
【００３７】
図５は、拡大後の実効値表示から実測定値表示への遷移を説明する図である。特に、図５（ａ）は拡大後の実効値表示の態様を示し、図５（ｂ）は実測定値表示の態様を示している。
【００３８】
図示のように、本実施形態の処理部５０は、図５（ａ）に示す拡大後の実効値表示による実効値拡大グラフＧｍ´におけるプロットＰ［ｋ＋２］の近傍の時間領域に含まれる実測定値を実測定値グラフＧｒとして表示領域２ａに表示する。なお、この時間領域は、図５（ａ）に示す一点鎖線の２直線で挟まれる部分で示している。
【００３９】
一方、処理部５０は、実効値表示ではないと判定した場合、すなわち実測定値表示を実行している場合には、ステップＳ１３０の処理に移行する。
【００４０】
ステップＳ１３０において、処理部５０は、実測定値表示を上記拡大後の実効値表示に遷移させる。
【００４１】
ステップＳ１４０において、処理部５０は、拡大後の実効値表示を縮小する縮小処理を実行する（図４（ｂ）から図４（ａ）に向かう矢印参照）。具体的に、処理部５０は、拡大後の代表値表示（図４（ｂ）参照）の状態（プロット数５つの状態）から、拡大前の代表値表示の表示プロット数になるまで、表示するプロット数を段階的に増加させる。このようなステップＳ１４０の処理では、表示領域２ａの表示レンジが段階的に広がることとなる。すなわち、本実施形態の縮小処理は、ステップＳ１１０の拡大処理に対して逆の操作を行う処理である。
【００４２】
上記表示切り替え制御によれば、上記切り替え指令信号をトリガとして自動的に、実効値表示（図４（ａ）参照）から当該実効値表示にかかる実効値グラフＧｍが段階的に拡大される態様が表示され、最終的に実効値拡大グラフＧｍ´の表示（図４（ａ）又は図５（ａ）参照）を経て実測定値表示（図５（ｂ））に遷移する一連の表示プロセスが一つの表示領域２ａに上で実行されることとなる。このため、実効値表示から拡大実効値表示までに至る表示領域２ａの表示が、実効値表示と実測定値表示の間の関連性をユーザに視覚的にイメージ付ける機能を果たすこととなる。結果として、ユーザは、実効値表示と実測定値表示の切り替え時においてもこれら表示の間の関連性をより認識し易くなる。また、実測定値表示から実効値表示への切り替えの場合も同様の効果が得られる。
【００４３】
また、これら実効値表示及び実測定値表示は一つの表示領域２ａで実行される。したがって、一つの画面領域上に実効値表示と実測定値表示を並列に表示する場合と比較して、表示画面の面積が同一であっても、これら各表示にかかる実効値グラフＧｍ及び実測定値グラフＧｒを大きく表示することができる。
【００４４】
次に、図６において表示切り替え制御に係る処理部５０の機能を簡略的に示す。図示のように、処理部５０は、上記ステップＳ１００の処理を実行する判定手段５１と、上記ステップＳ１１０の処理を実行する拡大手段５２と、ステップＳ１２０の処理を実行する第１表示遷移手段５３と、ステップＳ１３０の処理を実行する第２表示遷移手段５４と、ステップＳ１４０の処理を実行する縮小手段５５と、を備えている。
【００４５】
以上説明した本実施形態による作用効果について説明する。
【００４６】
本実施形態では、実測定値データ及び該実測定値データに含まれる各実測定値の所定周期ごとの代表値（実効値）からなる代表値データを取得するデータ取得部としての入力部１０と、代表値データに基づく相対的に大きい時間スケールＴ１の代表値表示と実測定値データに基づく相対的に小さい時間スケールＴ２の実測定値表示が選択的に実行される表示領域２ａを有する表示器２と、代表値表示（実効値表示）と実測定値表示の間の切り替え指令信号を生成する切り替え指令部としての操作部３０と、表示領域２ａにおける表示を制御する処理部５０と、を有する。
【００４７】
そして、処理部５０は、切り替え指令信号を検出して表示領域２ａの表示が実効値表示である場合に、実効値表示を実測定値データの時間スケールＴ２に近づくように拡大する拡大手段５２（ステップＳ１１０）と、該拡大後の実効値表示（図４（ｂ）参照）を、実測定値表示に遷移させる第１表示遷移手段５３（ステップＳ１２０）と、を備える。
【００４８】
これによれば、表示領域２ａにおいて、実効値表示の態様を実測定値表示の態様に近づけつつ、実効値表示から実測定値表示への切り替えを実行することができる。したがって、表示切り替え時におけるユーザに与える視覚的な違和感を軽減することができる。結果として、当該切り替え前後において実効値表示と実測定値表示の間の相互関係をユーザに好適に認識させることができる。
【００４９】
また、本実施形態では、拡大手段５２は、表示領域２ａにおける実効値データのプロット数（ｎ個）が所定閾値（５個）まで減少するように表示領域２ａの時間レンジを段階的に狭めることによって、実効値表示の拡大（図４（ａ）から図４（ｂ）に向かう方向の変化）を実行する。
【００５０】
これにより、ユーザは、表示領域２ａの表示を実効値表示から実測定値表示へ切り替える際に、実際の表示の遷移タイミングに至るまでの間に、実効値表示が段階的に拡大されていくプロセスを視認することができる。すなわち、ユーザは、実効値表示が実測定値表示に徐々に近づいて行くプロセスを視覚的に認識することができるので、実効値表示から実測定値表示への切り替えにおける視覚的な違和感を軽減させる効果がより一層向上することとなる。
【００５１】
また、本実施形態の表示装置１によれば、処理部５０は、さらに、切り替え指令信号を検出して表示領域２ａの表示が実測定値表示である場合に（ステップＳ１００のＮｏ）、実測定値表示を拡大後の実効値表示に遷移させる第２表示遷移手段５４（ステップＳ１３０）と、拡大後の実効値表示を縮小する縮小手段５５（ステップＳ１４０）と、を備える。
【００５２】
これにより、表示領域２ａにおける実測定値表示から実効値表示への切り替えにあたり、実測定値表示の時間スケールＴ２に比較的近い時間スケールＴ１ａである拡大後の実効値表示に遷移させつつ、拡大前の実効値表示を縮小することができる。これにより、ユーザに与える視覚的な違和感を軽減しつつ、実測定値表示から実効値表示へ切り替えを実行することができる。結果として、当該切り替え前後において実効値表示と実測定値表示の間の相互関係をユーザに好適に認識させることができる。
【００５３】
一方、縮小手段５５は、測定値データのプロット数（５個）が所定閾値（ｎ個）まで増大するように時間レンジを段階的に広げることによって、拡大後の実効値表示の縮小（図４（ｂ）から図４（ａ）に向かう方向の変化）を実行する。
【００５４】
これにより、ユーザは、表示領域２ａの表示が実測定値表示から実効値表示へ切り替える際に、実際の切り替えタイミングに至るまでに、実測定値表示が段階的に縮小されていくプロセスも視認することができる。したがって、実測定値表示から実効値表示への切り替えにおける視覚的な違和感を軽減させる効果もより一層向上することとなる。
【００５５】
なお、拡大手段５２による拡大処理に用いるプロット数の所定閾値及び縮小手段５５による縮小処理に用いるプロット数の所定閾値は、状況に応じて任意に設定することができる。
【００５６】
特に、拡大処理に用いるプロット数の所定閾値は、実効値表示から実測定値表示への切り替えにおいて、ユーザに与える視覚的な違和感をより抑制する観点から、可能なかぎり拡大後の実効値表示の時間スケールＴ１ａを実測定値表示の時間スケールＴ２に近づけつつ、且つ拡大後の実効値表示に係る実効値拡大グラフＧｍ´が一直線又は一点などの実質的な視覚的情報が失われた状態とならないように設定することが好ましい。また、縮小処理に用いるプロット数の閾値も、同様の観点から設定することが好ましい。
【００５７】
また、本実施形態では、実測定値データに基づく相対的に小さい時間スケールＴ２の実測定値表示と、該実測定値データに含まれる各実測定値の所定周期ごとの代表値からなる代表値データに基づく相対的に大きい時間スケールＴ１の代表値表示（実効値表示）と、が選択的に実行される表示領域２ａを有する表示部としての表示器２を備えた表示装置１に対し、表示領域２ａにおける表示の制御を実行させる表示用プログラムが提供される。
【００５８】
特に、この表示用プログラムは、実効値表示と実測定値表示の間の切り替え指令信号を検出して表示領域２ａの表示が実効値表示である場合に、実効値表示を実測定値データの時間スケールＴ２に近づくように拡大する拡大処理（ステップＳ１１０）と、該拡大後の実効値表示（図４（ｂ）参照）を、実測定値表示に遷移させる第１表示遷移処理（ステップＳ１２０）と、を実行させる。
を備える。
【００５９】
また、この表示用プログラムは、表示装置１に、さらに、表示領域２ａの表示が実測定値表示である場合に（ステップＳ１００のＮｏ）、実測定値表示を拡大後の実効値表示に遷移させる第２表示遷移処理（ステップＳ１３０）と、拡大後の実効値表示を縮小する縮小処理と、を実行させるように構成しても良い。
【００６０】
（第２実施形態）
以下、第２実施形態について、主として図７〜図１１を参照して説明する。なお、第１実施形態と同様の要素には、同一の符号を付し、その説明を省略する。
【００６１】
本実施形態では、代表値データは、相対的に長い周期ごとの各実測定値の実効値（以下、「長周期実効値」とも記載する）からなる長周期データと、相対的に短い周期ごとの各実測定値の実効値（以下、「中周期実効値」とも記載する）からなる中周期データと、を含む。なお、本実施形態の中周期データが、第１実施形態で説明した実効値データに対応する。
【００６２】
したがって、本実施形態の実効値表示は、上記長周期データに基づく相対的に大きい時間スケールＴ１Ｌの大スケール実効値表示と、中周期データに基づく相対的に小さい時間スケールＴ１Ｍの中スケール実効値表示と、を含む。以下、本実施形態の詳細を説明する。
【００６３】
図７は、本実施形態の処理部５０による表示切り替え制御の流れを示すフローチャートである。なお、本実施形態の表示切り替え制御にかかる処理も、表示切り替えボタン４への操作を検出した後に実行される。
【００６４】
図示のように、ステップＳ２００において、処理部５０は、実効値表示（大スケール実効値表示又は中スケール実効値表示）を実行しているか否かを判定する。そして、処理部５０は、実効値表示を実行していると判断した場合には、ステップＳ２１０の処理に移行する。
【００６５】
ステップＳ２１０において、処理部５０は、さらに、表示領域２ａが大スケール実効値表示を実行しているか否かを判定する。そして、処理部５０は、大スケール実効値表示を実行していると判断した場合には、ステップＳ２２０の処理に移行する。一方、処理部５０は、大スケール実効値表示を実行していないと判断した場合、すなわち中スケール実効値表示を実行していると判断した場合、ステップＳ２４０の処理に移行する。
【００６６】
ステップＳ２２０において、処理部５０は、第１実施形態で説明した拡大処理と同様の方法で、大スケール実効値表示の拡大処理を実行する。
【００６７】
図８は、大スケール実効値表示の拡大処理を説明する図である。特に図８（ａ）には大スケール実効値表示による大スケールグラフＧＬを示している。また、図８（ｂ）には拡大後の大スケール実効値表示による大スケールグラフＧＬ´を示している。
【００６８】
処理部５０は、大スケールグラフＧＬにおいて表示領域２ａに表示されるプロット数が所定閾値（図８（ｂ）ではＰ［ｋ］〜Ｐ［ｋ＋４］の５つ）に減少するまで表示領域２ａの表示レンジを段階的に狭めることで、大スケールグラフＧＬの表示を拡大する。
【００６９】
図７に戻り、ステップＳ２１０の処理の後に実行されるステップＳ２２０について説明する。ステップＳ２３０において、処理部５０は、拡大後の大スケール実効値表示にかかる大スケールグラフＧＬの表示を、中スケール実効値表示である中スケール実効値グラフＧｍの表示に遷移させる。当該遷移についてより詳細に説明する。
【００７０】
図９は、拡大後の大スケール実効値表示から中スケール実効値表示への遷移を説明する図である。図示のように、本実施形態の処理部５０は、図９（ａ）に示す拡大後の大スケール実効値表示による大スケールグラフＧＬ´の表示を、当図に示す一点鎖線の２直線で挟まれる時間領域に含まれる中周期実効値をプロットしてなる中スケール実効値グラフＧｍの表示（図９（ｂ）参照）に遷移させる。
【００７１】
図７に戻り、ステップＳ２１０又はステップＳ２３０の処理の後に実行されるステップＳ２４０について説明する。ステップＳ２４０において、処理部５０は、上記ステップＳ２２０で説明した方法と同様の方法で中スケール実効値表示の拡大処理を実行する。
【００７２】
図１０には、中スケール実効値表示の拡大処理を説明する図である。図示のように、処理部５０は、上記ステップＳ２２０で説明した大スケール実効値表示の拡大処理と同様に、中スケール実効値表示の中スケール実効値グラフＧｍから、拡大後の中スケール実効値表示である中スケール実効値拡大グラフＧｍ´への拡大処理を実行する（図１０（ａ）から図１０（ｂ）へ変化）。
【００７３】
図７に戻り、ステップＳ２４０の処理の後に実行されるステップＳ２５０について説明する。ステップＳ２５０において、処理部５０は、拡大後の中スケール実効値表示である中スケール実効値拡大グラフＧｍ´を、実測定値表示である実測定値グラフＧｒに遷移させる。
【００７４】
図１１は、拡大後の中スケール実効値表示を実測定値表示への遷移を説明する図である。図示のように、本実施形態の処理部５０は、図１１（ａ）に示す中スケール実効値表示による中スケール実効値拡大グラフＧｍ´におけるプロットＰ［ｋ＋２］の近傍の時間領域（一点鎖線の２直線で挟まれる部分）に含まれる実測定値を実測定値グラフＧｒとして表示領域２ａに表示する。
【００７５】
図７に戻り、処理部５０は、上記ステップＳ２００において実測定値表示を実行していないと判定した場合、すなわち実測定値表示を実行していると判定した場合におけるステップＳ２６０以降の処理に移行する。
【００７６】
ステップＳ２６０において、処理部５０は、実測定値表示を上記拡大後の中スケール実効値表示に遷移させる（図１１（ｂ）から図１１（ａ）へ変化）。
【００７７】
ステップＳ２７０において、処理部５０は、拡大後の中スケール実効値表示を縮小する縮小処理を実行する（図１０（ｂ）から図１０（ａ）へ変化）。
【００７８】
ステップＳ２８０において、処理部５０は、縮小後の中スケール実効値表示（本実施形態では拡大前の中スケール実効値表示に相当）を拡大後の大スケール実効値表示に遷移させる（図９（ｂ）から図９（ａ）へ変化）。
【００７９】
ステップＳ２９０において、処理部５０は、拡大後の大スケール実効値表示を縮小する縮小処理を実行する（図８（ｂ）から図８（ａ）へ変化）。
【００８０】
上記表示切り替え制御によれば、上記切り替え指令信号をトリガとして自動的に、大スケール実効値表示（図８（ａ）参照）から、拡大後大スケール実効値表示（図８（ｂ）又は図９（ａ）参照）、中スケール実効値表示（図９（ｂ）又は図１０（ａ）参照）、拡大後中スケール実効値表示（図１０（ｂ）又は図１１（ａ）参照）を介して実測定値表示（図１１（ｂ）参照）に遷移する一連の表示プロセスが一つの表示領域２ａに上で実行されることとなる。このため、当該表示プロセスに応じた表示領域２ａの表示が、大スケール実効値表示、中スケール実効値表示、及び実測定値表示の間の関連性をユーザに視覚的にイメージ付ける機能を果たすこととなる。結果として、ユーザは、表示切り替え時においてもこれら表示の間の関連性をより認識し易くなる。
【００８１】
また、これら大スケール実効値表示、中スケール実効値表示、及び実測定値表示は一つの表示領域２ａで実行される。したがって、一つの画面領域上にこれら表示を並列に表示する場合と比較して、表示画面の面積が同一であっても、これら各表示にかかる大スケール実効値表示、及び実測定値グラフＧｒをより大きく表示することができる。
【００８２】
以上説明した本実施形態による作用効果について説明する。
【００８３】
本実施形態では、代表値データは、相対的に長い周期ごとの各実測定値の代表値（実効値）からなる長周期データと、相対的に短い周期ごとの各実測定値の代表値（実効値）からなる中周期データと、を含む。また、代表値表示は、長周期データに基づく相対的に大きい時間スケールＴ１Ｌの大スケール実効値表示（大スケールグラフＧＬ）と、中周期データに基づく相対的に小さい時間スケールＴ１Ｍの中スケール実効値表示（中スケール実効値グラフＧｍ）と、を含む。
【００８４】
拡大手段５２は、切り替え指令信号を検出して表示領域２ａの表示が大スケール実効値表示であると判定された場合（ステップＳ２１０のＹｅｓ）には該大スケール実効値表示を中スケール実効値表示の時間スケールＴ１Ｍに近づくように拡大し（ステップＳ２２０、図８（ａ）及び図８（ｂ）参照）、第１表示遷移手段５３は、拡大後の大スケール実効値表示を中スケール実効値表示に遷移させ（ステップＳ２３０、図９（ａ）及び図９（ｂ）参照）、拡大手段５２は、表示領域２ａの表示が中スケール実効値表示である場合（ステップＳ２１０のＮｏ）、又は第１表示遷移手段５３による中スケール実効値表示への遷移（ステップＳ２３０）が実行された場合には、該中スケール実効値表示を拡大し（ステップＳ２４０）、第１表示遷移手段５３は、拡大後の中スケール実効値表示を実測定値表示に遷移させる（ステップＳ２５０）。
【００８５】
これにより、２つの実効値表示である大スケール実効値表示及び中スケール実効値表示から実測定値表示への切り替えにおいても、ユーザに与える視覚的な違和感を軽減しつつ、これら各表示の間の相互関係をユーザに好適に認識させることができる。
【００８６】
したがって、例えば、数週間等の長期間に亘って電力設備で発生するイベントをチェックする場合に用いる大スケール実効値表示、大スケール実効値表示に比べて短い期間のトレンドを表す中スケール実効値表示、及びより詳細な事象の原因調査などが要求される場合に用いる実測定値（瞬時値）を、切り替え指令信号をきっかけに表示領域２ａ上で実行される一連の自動的な表示プロセスによって、ユーザに対して、これら表示の各々が持つ情報性を維持しつつもそれらの相互関係を好適に認識させることができる。
【００８７】
また、第２表示遷移手段５４は、判定手段５１により表示領域２ａの表示が実測定値表示であると判定した場合に、拡大後の中スケール実効値表示に遷移させ（ステップＳ２６０）、縮小手段５５は、拡大後の中スケール実効値表示を拡大後の大スケール実効値表示の時間スケールＴ１Ｌ´に近づくように縮小し（ステップＳ２７０）、第２表示遷移手段５４は、縮小後の中スケール実効値表示を拡大後の大スケール実効値表示に遷移させ（ステップＳ２８０）、縮小手段５５は、拡大後の大スケール実効値表示を縮小する（ステップＳ２９０）。
【００８８】
これにより、状況に応じて、実測定値表示、中スケール実効値、及び大スケール実効値表示の順で表示切り替えを実行することが望まれる場合においても、当該順番の切り替え時において各表示の間の相互関係をユーザに好適に認識させることができる。
【００８９】
以上、本発明の実施形態について説明したが、上記実施形態は本発明の適用例の一部を示したに過ぎず、本発明の技術的範囲を上記実施形態の具体的構成に限定する趣旨ではない。
【００９０】
例えば、上記第１実施形態では１種類の代表値データに基づく実効値データ表示から実測定値データ表示への切り替えを行う例を説明した。また、第２実施形態では表示領域２ａに表示する実効値データとして長周期データ及び中周期データの２種類のデータがある場合を想定して、長周期データ又は中周期データから実測定値データ表示への切り替えを行う例を説明した。しかしながら、実効値データが３種類以上ある場合に、これら３種類の実効値データの何れかから実測定値データ表示への切り替えに、上記実施形態で説明した拡大処理及び／又は縮小処理のプロセスを適用しても良い。
【００９１】
さらに、第１実施形態で説明した拡大処理において、実効値表示にかかる実効値グラフＧｍを実効値拡大グラフＧｍ´まで拡大するにあたり、当該拡大の段階数は任意に設定することができる。また、縮小の段階数も同様に任意に設定することができる。第２実施形態における拡大処理又は縮小処理についても、同様に、拡大の段階数又は縮小の段階数を任意に設定することができる。
【００９２】
また、上述した拡大処理又は縮小処理の実行のための基点（プロットＰ［ｋ＋２］）をユーザがより明確に識別できるように、表示領域２ａにおける実効値表示及び実測定値表示において、当該基点の時刻を示す任意のマークを表示するようにしても良い。
【００９３】
さらに、上記各実施形態の表示切り替え制御では、ユーザによる表示切り替えボタン４による操作に基づく切り替え指令信号が検出されことをトリガとして、現在の表示領域２ａの表示が実効値表示であるか、実測定値表示であるのかを判定した上で各処理を実行する例を説明した（図３のステップＳ１００及び図７のステップＳ２００）。
【００９４】
しかしながら、これに限られることなく、例えば、処理部５０に対して最も大きいスケールの実効値表示から上記拡大処理を介して実測定値表示に向かって表示を切り替える制御を実行させる第１切り替え指令信号、及び処理部５０に対して実測定値表示から縮小処理を介してより大きいスケールの実効値表示に向かって表示を切り替える制御を実行させる第２切り替え指令信号のそれぞれに基づいて、表示領域２ａにおける表示切り替え制御を実行するようにしても良い。この場合、例えば、第１切り替え指令信号を生成するための第１切り替えボタンと、第２切り替え指令信号を生成するための第２切り替えボタンと、を表示装置１に設けることで、ユーザの選択に応じた表示切り替え制御を実行することができる。
【００９５】
また、上記各実施形態では実測定値の代表値が実効値である例について説明したが、実効値に代えて平均値、最大値、及び最小値を採用しても良い。
【００９６】
さらに、上記各実施形態で説明した表示装置１に表示切り替え制御を実行させるための表示制御用プログラムを記憶した記憶媒体、及び少なくとも図６に示した処理部５０の拡大手段５２と、第１表示遷移手段５３と、第２表示遷移手段５４と、縮小手段５５と、により実行される処理（図３のステップＳ１１０〜ステップＳ１４０、及び図７のステップＳ２２０〜ステップＳ２９０）を含む表示制御方法も、本出願における出願時の明細書等に記載された事項の範囲内に含まれる。
【符号の説明】
【００９７】
１    表示装置
２    表示器
２ａ    表示領域
３    表示開始ボタン
４    表示切り替えボタン
１０    入力部
２０    記憶部
３０    操作部
５０    処理部
５１    判定手段
５２    拡大手段
５３    第１表示遷移手段
５４    第２表示遷移手段
５８    縮小手段
【図１】
2019184323.tif 000003
【図２】
2019184323.tif 000004
【図３】
2019184323.tif 000005
【図４】
2019184323.tif 000006
【図５】
2019184323.tif 000007
【図６】
2019184323.tif 000008
【図７】
2019184323.tif 000009
【図８】
2019184323.tif 000010
【図９】
2019184323.tif 000011
【図１０】
2019184323.tif 000012
【図１１】
2019184323.tif 000013